(57)【要約】      （修正有）【解決手段】各受信機が、異なるダイバーシティアンテナ電界を介してワイヤレス通信信号を獲得することを可能にするトポロジにおいて少なくとも２つの受信機を備えるシステムおよび方法を提供する。各受信機１１０、１２０が、信号を獲得し、さらにデータを復調し、復号し、データ端末コンポーネント１７０に送る。データ端末コンポーネント１７０は、パケット整列問題を解決し、最良のデータを選択する。【効果】システム１００の信頼性を向上させ、単一のアンテナ電界において生じ得る信号フェージングによってシステムがデータ破損またはデータの喪失を被ることを少なくする。このようにワイヤレスシステム１００を備えることは、マルチパス効果および／またはシャドウイング効果からもたらされる同一のフェージング現象により信号受信が損なわれて、データがドロップアウトすること、またはデータが失われることが生じる可能性を低減する。【選択図】図１
2012142936.tif 000002
【特許請求の範囲】
【請求項１】
向上したサービス品質のワイヤレス通信システム（１００）であって、
ワイヤレス医療デバイスから送信された医療データ信号を含むワイヤレス信号を受信するように構成された一次受信機（１１０）と、
前記ワイヤレス医療デバイスから前記ワイヤレス信号を受信するように構成された冗長受信機（１２０）とを備え、前記一次受信機（１１０）と前記冗長受信機（１２０）のそれぞれが、復号器（１５０）と、転送媒体コンポーネント（１６０）とを含み、前記復号器（１５０）が、前記ワイヤレス信号の品質を評価するとともに、前記医療データを抽出し、前記転送媒体コンポーネント（１６０）が、前記ワイヤレス信号を処理して、複数の転送データパケット（４００）にし、ワイヤレス通信システム（１００）が、
前記一次受信機（１１０）と前記冗長受信機（１２０）のそれぞれから前記複数のデータ転送パケット（４００）を受信し、前記複数の転送データパケット（４００）をマージして、複合データストリーム（５３０）にするデータ端末コンポーネント（１７０）をさらに備える、ワイヤレス通信システム（１００）。
【請求項２】
前記一次受信機（１１０）および前記冗長受信機（１２０）がそれぞれ、アンテナ（１１５）と、ＳＤＣコンポーネント（１３０）とを含み、前記アンテナ（１１５）および前記ＳＤＣコンポーネント（１３０）が、前記患者監視デバイスから前記ワイヤレス信号を受信し、獲得する、請求項１記載のシステム（１００）。
【請求項３】
前記一次受信機（１１０）および前記冗長受信機（１２０）が、復調器（１４０）を含み、前記復調器（１４０）が、前記ＳＤＣコンポーネント（１３０）から前記獲得されたワイヤレス信号を受け取り、さらに前記信号を前記復号器（１５０）のために復調する、請求項１記載のシステム（１００）。
【請求項４】
前記一次受信機（１１０）および前記冗長受信機（１２０）が、現場調査に従ってワイヤレス医療監視システム（１００）において構成されている、請求項１記載のシステム（１００）。
【請求項５】
前記複数の転送データパケット（４００）のそれぞれが、前記医療デバイスからの、フレームＩＤ（４１０）を有するデータを含み、前記フレームＩＤ（４１０）が、前記医療データの一部分からのデータを識別する、請求項１記載のシステム（１００）。
【請求項６】
前記転送データパケット（４００）のそれぞれが、誤り訂正符号（ＥＣＣ）（４３０）を含み、前記復号器（１５０）が、前記ＥＣＣ（４３０）を使用して、前記データが正しいかどうかを判定する、請求項５記載のシステム（１００）。
【請求項７】
前記転送データパケット（４００）のそれぞれが、ソース（４４０）を含み、前記ソース（４４０）が、いずれの受信機（１１０、１２０）から前記転送データパケット（４００）が来ているかを示す、請求項５記載のシステム（１００）。
【請求項８】
前記転送データパケット（４００）のそれぞれが、タグ（４５０）を含み、前記タグが、受信された医療データを前記転送データパケット（４００）が正しく含むかどうかを示す、請求項５記載のシステム（１００）。
【請求項９】
前記データ端末コンポーネント（１７０）が、前記一次受信機（１１０）および前記冗長受信機（１２０）からの前記複数のデータ転送パケット（４００）をマージして、各フレームＩＤに対応する正しいデータを含む複合データストリーム（５３０）にする、請求項１記載のシステム（１００）。
【請求項１０】
ワイヤレス通信システム（１００）における向上したサービス品質の方法（６００）であって、
一次受信機（１１０）において医療デバイスから送信されたワイヤレス信号を受信するステップ（６３０）と、
冗長受信機（１２０）において前記医療デバイスからの前記ワイヤレス信号を受信するステップ（６３０）であって、前記一次受信機（１１０）および前記冗長受信機（１２０）がそれぞれ、復号器（１５０）と、転送媒体コンポーネント（１７０）とを含む、ステップと、
前記復号器（１５０）が、前記受信されたワイヤレス信号の品質を評価するとともに、前記医療データを抽出するステップと、
前記転送媒体コンポーネント（１７０）が、前記受信された医療データを処理して、複数の転送データパケット（４００）にするステップ（６４０）と、
データ端末コンポーネント（１７０）において前記一次受信機（１１０）および前記冗長受信機（１２０）のそれぞれから前記複数のデータ転送パケット（４００）を受け取るステップ（６５０）と、
前記複数の転送データパケット（１７０）をマージして、複合データストリーム（５３０）にするステップ（６６０）と
を備える方法（６００）。
【発明の詳細な説明】
【技術分野】
【０００１】
本出願は、ワイヤレス通信システムの分野を対象とする。より詳細には、本出願は、ワイヤレス医療監視システムにおける冗長信号受信の分野を対象とする。
【背景技術】
【０００２】
現在のワイヤレス通信システムには、フェージングによって引き起こされるワイヤレス医療遠隔測定サービスのデータの喪失またはデータドロップアウトの問題がある。フェージングとは、搬送波変調ＲＦ信号が伝播媒体の上で受ける減衰の偏りを指す。フェージングは、通常、マルチパス伝播（同一の信号の異なる経路が打ち消しあうように組み合わさる）、またはシャドウイング（障害物が波の伝播を妨げる）に起因する。フェージングモデルを使用し、フェージングがどのように生じる可能性があるかを表すことができるが、信号フェージングは無秩序な現象であり、どんなワイヤレス通信システムからもなくすることはできない。
【先行技術文献】
【特許文献】
【０００３】
【特許文献１】米国特許第７，６６８，５４２号明細書
【発明の概要】
【０００４】
このため、信号フェージングがワイヤレスシステムのパフォーマンスに影響を与える確率を低減することが望ましい。フェージングがシステムにおいてデータ喪失またはデータドロップアウトを引き起こす確率を低減することにより、ワイヤレス通信システムの信頼性が向上する。
【０００５】
本発明は、各受信機が、異なるダイバーシティアンテナを介してワイヤレス通信信号を獲得し、復号し、復調することを可能にするトポロジにおいて少なくとも２（二）つの受信機を備えるシステムおよび方法を含む。各受信機は、獲得されたデータをデータ端末コンポーネントに送る。データ端末コンポーネントは、パケット整列問題を解決し、最良のデータを選択する。この手法は、システム信頼性を向上させ、単一の受信信号上で生じ得る信号フェージングまたは信号ドロップアウトによってシステムがデータ破損またはデータの喪失を被ることを少なくする。独立した２つ以上のアンテナ電界でフェージングが同時に生じる結合確率は、任意の単一の電界の場合と比べてはるかに低いので、このようにしてワイヤレスシステムを用意することにより、受信機インフラストラクチャによって冗長に監視される少なくとも１つのアンテナ電界が通常はフェージング状態にないため、正しいデータを受信する可能性が向上する。
【０００６】
本出願の一態様では、向上したサービス品質のワイヤレス通信システムが、ワイヤレス医療デバイスから送信された医療データを含むワイヤレス信号を受信するように構成された一次受信機と、そのワイヤレス医療デバイスから送信されたそのワイヤレス信号を受信するように構成された冗長受信機とを備え、一次受信機と冗長受信機はそれぞれ、ワイヤレス信号の品質を評価するとともに、医療データを抽出する復号器と、ワイヤレス信号を処理して、複数の転送データパケットにする転送媒体コンポーネントと、一次受信機と冗長受信機のそれぞれからその複数のデータ転送パケットを受け取り、その複数の転送データパケットをマージして、複合データストリームにするデータ端末コンポーネントとを含む。
【０００７】
本出願の別の態様では、ワイヤレス通信システムにおける向上したサービス品質の方法が、一次受信機において医療デバイスから送信されたワイヤレス信号を受信すること、冗長受信機において医療デバイスからのそのワイヤレス信号を受信することを備え、一次受信機と冗長受信機のそれぞれは、復号器と、転送媒体コンポーネントとを含み、この方法は、復号器が、受信されたワイヤレス信号の品質を評価するとともに、医療データを抽出すること、転送媒体コンポーネントが、受信された医療データを処理して、複数の転送データパケットにすること、およびデータ端末コンポーネントにおいて一次受信機と冗長受信機のそれぞれから複数のデータ転送パケットを受信することをさらに備え、その複数の転送データパケットをマージして、複合データパケットにすることをさらに備える。
【図面の簡単な説明】
【０００８】
【図１】本出願の受信機システムの実施形態を示す概略ブロック図である。
【図２】本出願の複数の信号の実施形態を示すグラフである。
【図３】本出願のマルチパスフェージングの実施形態を示すグラフである。
【図４】本出願の転送データパケットの実施形態を示す概略ブロック図である。
【図５】本出願のデータストリーム復元の実施形態を示す概略ブロック図である。
【図６】本出願の方法の実施形態を示す流れ図である。
【発明を実施するための形態】
【０００９】
本出願のシステムおよび方法は、同一の、または唯一の物理的受信機モジュール上に存在する、異なる少なくとも２つの受信機経路を介して所望のワイヤレス通信信号を受信することを含む。図１を参照すると、受信機システム１００における冗長カバレッジが、一次受信機１１０、および少なくとも１つの冗長受信機１２０からの信号受信を含む。本出願の文脈において、信号受信とは、以下の機能的要素、すなわち、アンテナダイバーシティ、選択性、復調、復号、および復号された情報の転送を指す。受信されたデータは、一次受信機１１０または冗長受信機１２０である受信機から、復元するためにデータ端末コンポーネント１７０に転送されることになる。この実施形態において、データ端末コンポーネント１７０が、受信されたデータの最終の宛先であることは必要とされない。一次受信機１１０と冗長受信機１２０は、同一のパフォーマンス特性を提供し、受信における基本的な違いは、アンテナ電界ダイバーシティからもたらされる。
【００１０】
図１の受信機システム１００は、全体的なワイヤレスシステム（図示せず）から通信を受信する受信機１１０、１２０のそれぞれにおけるアンテナ１１５を含む。これらのアンテナ１１５は、ワイヤレスシステムの用意されたサービスエリア全体にわたって配置される空間ダイバーシティアンテナとして配備される。各アンテナ１１５の場所は、特定の設計規則、および現場調査の結果に基づく。各アンテナ１１５は、異なる場所に設置されるため、各アンテナ１１５における信号は、任意の時点で唯一実現されるワイヤレス信号となる。しかし、その複数の一次受信機１１０および／または冗長受信機１２０のいずれも、単一のハードウェアコンポーネントで実装することが可能であることにも留意されたい。
【００１１】
アンテナ１１５をこのように構成することは、送信するデバイスと受信機の間の見通し線が、必ずしも障害物のない経路ではない屋内のシステムで使用するのに特に役立つ。この状況において、信号は、信号が信号源から放射されるにつれて、永久障害物、またはその他の物体に反射される。これらの反射は、送信機と受信機１１０、１２０の間で代替の信号経路をもたらすものであり、これをマルチパス状況またはマルチパス信号と呼ぶことができる。これらのマルチパス信号は、アンテナ１１５のアパーチャにて組み合わされたとき、受信信号の品質に影響を与える可能性がある。これらの反射は、受信信号における位相オフセットとして現れる伝送時間遅延を生じさせる。この効果が、図２のマルチパス信号グラフ２００に示される。このグラフ２００は、反射の回数のために信号経路が、より長い場合、そのことが、アンテナアパーチャに信号が到着するのを遅らせることを示す。マルチパス信号グラフ２００は、元の信号２３０および遅延信号２４０をグラフで示し、マルチパスグラフ２００のｘ軸上のある期間２１０にわたる信号振幅２２０がマルチパス信号グラフ２００のｙ軸上に示されている。このマルチパス信号グラフ２００は、ワイヤレスシステムにおける送信機からの１つの信号が、環境の効果により、どのように遅延されて受信され得るかを例示する。
【００１２】
現在、ワイヤレス屋内環境においてマルチパス信号を無くすシステムも方法もないので、一部の事例では、これらの効果は、打ち消しあう干渉をもたらす可能性があり、受信信号のフェージング、または信号電力の低下をもたらす可能性がある。この効果が、図３のアンテナ信号グラフ３００に示される。このグラフ３００は、通常のワイヤレスシステムにおいて生じ得る信号フェージング状況の例を提示する。この場合、時間３１０に対して、異なる２つのアンテナによって受信される受信信号電力３２０、アンテナ信号（１）３３０とアンテナ信号（２）３４０は、異なる。信号電力フェージング３３５が、異なる時点で生じるように示され、独立したアンテナ電界を介する受信を表す。信号アンテナ（１）３３０の受信が、受信機のための唯一の信号として使用された場合、信号にフェージングが生じ３３５、受信信号電力３２０が低下するにつれて、信号を復調する能力が損なわれる可能性がある。受信機を通る単一の受信経路、およびアンテナダイバーシティを使用することは、ダイバーシティシステムにおける受信機が、フェージング３３５を検出して、受信を代替のアンテナにハンドオーバすることができるため、単一のアンテナだけを使用するシステムに優る利点を提供する。
【００１３】
やはり図３を参照すると、フェージングが徐々である状況において、受信機におけるアンテナ切り換えアルゴリズムが、フェージング３３５を検出し、別のアンテナへの受信のハンドオーバを円滑にして、ドロップアウト、またはパフォーマンスの低下を防止することが可能である。しかし、フェージング３３５が急速に生じると、アンテナ切り換えは、パフォーマンスの低下が、データが失われることとして現れるより前に、フェージングイベント３３５を検出することができない可能性がある。したがって、ワイヤレス通信システムの信頼性向上が、ダイバーシティアンテナ電界における冗長受信を利用する本出願のシステムおよび方法によって達せられることが可能である。また、この方法は、単一のアンテナ上で受信される急速なフェージングが受信機のパフォーマンスを損なうことを防止する。
【００１４】
図１を再び参照すると、冗長受信を考慮するのに、単一の受信経路に含まれる機能的要素が理解されなければならない。これらの機能的要素は、信号調整をもたらし、受信機１１０、１２０が、所望の情報を、その情報が通信チャネルを介して送信されるにつれて獲得することを可能にする信号処理技術を実施する。図１の一次受信機１１０と冗長受信機１２０のそれぞれは、通常の受信機１１０、１２０信号経路のイメージを含む。復調器１４０および復号器１５０は、当技術分野でよく知られており、文献で定義されている。受信機システム１００は、知られている復調器１４０および復号器１５０を利用しても、受信機システム１００のために特別に設計された復調器１４０および復号器１５０を利用してもよい。選択性−ダウンコンバータ（ＳＤＣ）コンポーネント１３０および転送媒体コンポーネント１６０は、後段でより詳細に説明される。
【００１５】
ＳＤＣコンポーネント１３０は、アンテナ１１５インフラストラクチャに対するインタフェースの役割をし、ワイヤレスネットワーク全体にわたって実施される、所望の多重化スキームに関する多元接続サポートを提供する。このＳＤＣコンポーネント１３０は、アンテナインフラストラクチャとともに、ワイヤレス信号を獲得する物理的媒体を提供する。ＲＦ信号が獲得されると、ＳＤＣコンポーネント１３０における回路またはファームウェアが、その信号の所望のスペクトル内容を分離する必要なフィルタリングを提供し、獲得または復調するために、その信号を所望の周波数位置にダウンコンバートする、または再整列させる。信号調整は、アナログ領域またはデジタル領域に限定されず、所望の信号を分離するように両方の領域のいくつかの部分にわたることが可能である。
【００１６】
所望の信号は、ＳＤＣコンポーネント１３０によって獲得された後、復調器１４０を使用して処理されて、その所望の信号内に含まれる情報が獲得される。この情報は、復号器１５０によって復号され、所望のデータが、受信機１１０、１２０によって獲得される。この所望のデータは、このデータを定義されたフォーマットに編成する、または符号化する転送媒体コンポーネント１６０に送られる。次に、このフォーマットされたデータが、処理するためにデータ端末コンポーネント１７０に送られる。データ端末コンポーネント１７０は、記憶媒体と、プロセッサとを含み、記憶媒体は、一次受信機１１０および冗長受信機１２０の前述した方法を動作させる命令を含む実行可能コードのセットを含むことに留意されたい。データ端末コンポーネント１７０の記憶媒体の中に格納された実行可能コードのセットは、プロセッサによって実行されて、これにより、受信機システム１００の動作が実行される。代替の実施形態は、そのようなハードウェアコンポーネントを一次受信機内に、冗長受信機１２０内に、または受信機システム１００内の他のロケーションに含むことも可能であることにさらに留意されたい。
【００１７】
冗長受信を利用する受信機システム１００において、前段で説明したとおり、単一の受信経路の独立した少なくとも２つのインスタンスが実施される。各経路は、ダイバーシティアンテナ１１５入力、ならびにＳＤＣコンポーネント１３０、復調器１４０、復号器１５０、および転送媒体コンポーネント１６０を含む。転送されたデータのストリームは、共通データ端末コンポーネント１７０に送られる。
【００１８】
データ端末コンポーネント１７０は、一次受信機１１０からのデータ経路と冗長受信機１２０からのデータ経路をマージして、送信するデバイス（図示せず）からの情報を表す単一のデータストリームにする。この情報を組み合わせる方法は、最良の結果が得られることを確実にするように、いくつかのスキームを含むことが可能である。
【００１９】
図４を参照すると、転送されるデータは、好ましくは、少なくともフレームＩＤ４１０と、ＥＣＣ４３０と、ソース４４０ロケーションとを含む、符号化された転送データパケット４００フォーマットになっているものとする。これらのパケット４００には、データ４２０に誤りが存在しない場合、または訂正されないデータ４２０誤りが生じない場合、復号器１５０（図１）によって、良好なパケットであるとタグ４５０を付けることが可能であり、あるいはデータ喪失を引き起こす訂正されないデータ４２０誤りが存在する場合、不良なパケットであるとタグ４５０を付けることが可能である。転送データパケット４００は、データ４２０を識別し、さらにデータパケット４００フレームごとのデータ４２０にタイムスタンプを付けるのに使用されるフレームＩＤ４１０を含む。図１を同時に参照して、データ４２０が受信機１１０、１２０のいずれかにおいて受信され、さらに復調器１４０によって復調され、復号器１５０によって復号されると、復号器１５０からの情報の結果は、データパケット４００である。ＥＣＣ４３０が、データが正しいかどうかを判定し、正しい場合、タグ４５０が、その特定の転送データパケット４００が良好なデータ転送パケット４００であることを示す。ソース４４０が、その転送データパケット４００がどこから来たか、つまり、パケット４００が一次受信機１１０から来たか、または冗長受信機１２０のいずれか１つから来たかを示す。
【００２０】
次に図５を参照すると、データ端末コンポーネント１７０（図１）が、良好なパケット４００（図４）を順番に並べ替えて、データストリーム５００を復元し、さらに知られている良好なパケット４００を一緒に連結して、複合データストリーム５３０を形成する。複合データストリーム５３０は、所望の信号を受信することに専用の、一次受信機１１０であれ、冗長受信機１２０であれ、任意の受信機１１０、１２０からの良好なパケット４００を含み得る。やはり図５を参照すると、一次受信機データストリーム５１０および冗長受信機データストリーム５２０が、図示するとおり、整列させられる。これら２つの受信機データストリーム５１０、５２０は、フレームＩＤによって整列させられ、つまり、フレームｎ、５４０が整列させられ、フレームｎ＋１、ｎ＋２、ｎ＋３、およびｎ＋４、５４０、５５０〜５８０も同様に整列させられる。複合データストリーム５２０は、フレームＩＤごとの良好なタグを有するデータパケットを含む、２つの受信機データストリーム５１０、５２０の合成を例示する。この複合データストリーム５３０は、一次受信機データストリーム５１０からのデータパケットを冗長受信機データストリーム５２０とフレームごとに比較することによって構成される。例えば、フレームｎ、５４０を比較すると、一次受信機データストリーム５１０と冗長受信機データストリーム５２０がともに「良好な」パケットを含むことが明らかである。したがって、システムは、そのような事例において、一次受信機データストリームからのパケットを使用するようにあらかじめ設定されることが可能である。フレームｎ＋１、５５０において、一次受信機データストリーム５１０が良好タグを有するのに対して、冗長受信機データストリーム５２０は不良タグを有する。そのような事例において、データ端末コンポーネント１７０は、複合データストリーム５３０のために一次受信機データストリーム５１０からのパケットを選択する。フレームｎ＋３、５７０において、冗長受信機データストリーム５２０だけが良好なデータパケットであり、したがって、このパケットが複合データストリーム５３０の中に含められる。システムが、多くの冗長受信機データストリーム５２０を含む場合、データ端末コンポーネント１７０は、一次受信機データストリーム５１０が不良なパケットを有する場合に、「良好」タグを有する、いずれの冗長受信機データストリーム５２０が複合データストリーム５３０に寄与するかを決定する規則セットを有する。
【００２１】
次に図６を参照すると、本出願の方法６００が示されている。ステップ６１０で、最適なワイヤレスインフラストラクチャ構成を決定するように物理的区域に対して現場調査が行われる。そのような現場調査方法は、当技術分野でよく知られており、ワイヤレス監視システムのユーザが、監視される区域全体に関するカバレッジを確実にするようにアンテナ１１５、および受信機１１０、１２０（図１）を適切に配置することを可能にする。ステップ６２０で、複数のアンテナ１１５、および受信機１１０、１２０が、この現場調査からの知見に従ってワイヤレス監視システムにおいて構成される。ステップ６３０で、複数の受信機１１０、１２０のそれぞれにおいて生理学的信号が獲得され、複数の受信機１１０、１２０はそれぞれ、そのような信号を獲得するためにアンテナ１１５と、ＳＤＣモジュール１３０とを含む。ステップ６４０で、獲得された信号が、複数の受信機１１０、１２０のそれぞれにおいて処理されて、複数の転送データパケットにされる。ステップ６４０で、複数の受信機１１０、１２０において信号が復調され、復号される。復号器は、獲得された信号の品質に応じて、複数の転送データパケットのそれぞれに「良好」タグまたは「不良」タグを付ける。転送データパケットのそれぞれにタグを付けるためのしきい値は、システムのユーザによってあらかじめ決められ、それに相応して設定される。任意の所与の生理学的信号を「良好」または「不良」として格付けするためのしきい値は、処理されている生理学的信号のタイプに大きく依存することが企図される。
【００２２】
やはり図６を参照すると、複数の受信機１１０、１２０のそれぞれからの複数の転送データパケットが、データ端末コンポーネント１７０に送られる。この場合、複数の受信機１１０、１２０のそれぞれからの複数の転送されたデータパケットは、マージされて複合データストリームにされる。これらの転送パケットは、複数の受信機１１０、１２０のそれぞれに関する複数のデータパケットのそれぞれを、フレームＩＤによって順番に整列させること、および特定のフレームＩＤに対応するデータパケット４００ごとに受信機１１０、１２０のいずれかからの「良好な」データ転送パケットを選択することによって、マージされる。任意のフレームＩＤに関して転送データパケットの２つ以上に「良好」とラベルが付けられている場合、所定の規則が、いずれの転送データパケットを合成データストリームにおいて使用すべきかを選択するのに使用される。例として、転送データパケットのすべてが「良好」タグを有する場合、規則セットは、一次受信機１１０からのデータ転送パケットが利用されるべきことを示すことが可能である。複数の受信機１１０、１２０の残りの受信機は、それに相応して順序付けられることが可能である。第２の例として、「良好な」転送データパケットをとるべき順序を設定することが可能な、信号を発行した近接送信デバイスが存在することが可能である。複数の「良好な」転送データパケットの１つを選択するため方法または規則がいくつであれ、利用されることが可能であることに留意されたい。
【００２３】
代替の実施形態において、パケット４００内のデータ４２０は、ビットごとに評価される。この実施形態において、アプリケーションは、異なっていたパケット４００の中のデータパケット４２０およびタグ４５０に対して差分を実行し、ストリームの異なる置換の組合せを復元して、ＥＣＣ４３０マッチを探索する。
【００２４】
したがって、各受信機１１０、１２０が、異なるダイバーシティアンテナ１１５を介してワイヤレス通信信号を同時に獲得することを可能にするトポロジにおいて少なくとも２つの受信機１１０、１２０を備えることにより、システム信頼性が向上し、信号フェージングによってシステムがデータ破損またはデータの喪失を被ることが少なくなる。これらの技術的利点は、ワイヤレス通信システムの信頼性を向上させることに焦点を当てる。冗長監視は、任意のアンテナ電界における信号フェージングが、ワイヤレスシステムにおいてデータ喪失またはデータドロップアウトを引き起こす確率を低減する。
【００２５】
本書は、実施例を使用して、最良の形態を含めて本発明を開示するとともに、当業者が本発明を作成し使用することを可能にする。本発明の特許性のある範囲は、特許請求の範囲によって規定され、さらに当業者が思いつく他の実施例を含むことが可能である。そのような他の実施例は、それらの実施例が、特許請求の範囲の文言と相違しない構造的要素を有する場合、またはそれらの実施例が、特許請求の範囲の文言とわずかしか違いのない均等の構造的要素を含む場合、特許請求の範囲に含まれることが意図される。
【符号の説明】
【００２６】
１００  受信機システム
１１０  一次受信機
１１５  アンテナ
１２０  冗長受信機
１３０  ＳＤＣコンポーネント
１４０  復調器
１５０  復号器
１６０  転送媒体コンポーネント
１７０  データ端末コンポーネント
２００  マルチパス信号グラフ
２０５  Ｘ軸
２１０  期間
２１５  Ｙ軸
２２０  信号振幅
２３０  元の信号
２４０  遅延した信号
３００  アンテナ信号グラフ
３０５  Ｘ軸
３１０  期間
３１５  Ｙ軸
３２０  信号電力
３３０  アンテナ信号１
３３５  信号電力フェージング
３４０  アンテナ信号２
４００  転送データパケット
４１０  フレームＩＤ
４２０  データ
４３０  ＥＣＣ
４４０  ソース
４５０  タグ
５００  データストリーム復元
５１０  一次受信機データストリーム
５２０  冗長受信機データストリーム
５３０  複合データストリーム
５４０  フレームＮ
５５０  フレームＮ＋１
５６０  フレームＮ＋２
５７０  フレームＮ＋３
５８０  フレームＮ＋４
【図１】
2012142936.tif 000003
【図２】
2012142936.tif 000004
【図３】
2012142936.tif 000005
【図４】
2012142936.tif 000006
【図５】
2012142936.tif 000007
【図６】
2012142936.tif 000008
【外国語明細書】
2012142936000001.pdf